(57)【要約】  本発明の構造的安定性を有するコンテナーハウス（２００）は、内部空間を有し、内部と外部とを連結する通路を有する本体（２１０）と、本体を地面に堅固に固定するが、本体の上下方向に貫通して地面に打ち込んで固定される複数のパイル（２２０）とで構成される。本発明は、本体を地面に堅固に固定し、本体のコーナー部分を貫通して地面に打ち込まれるパイルを利用して、本体を地面に便利で且つ簡便に固定することができるという長所がある。即ち、本発明は地面に堅固に打ち込まれる複数のパイルによって、単層または多層の本体が堅固に地面に固定され、それによって、台風、地震などの自然災害にも安全性を保持することができるので、砂漠、草原などの劣悪な環境でも楽な居住が可能である。
2015501892.tif 000002
【特許請求の範囲】
【請求項１】
内部空間を有し、内部と外部とを連結する通路を有する本体と、前記本体を地面に堅固に固定するが、前記本体の上下方向に貫通して地面に打ち込まれて固定される複数のパイルとを含むことを特徴とする構造的安定性を有するコンテナーハウス。
【請求項２】
前記本体は、底板、正面板、一対の側面板、上面板及び背面板を含んで構成されるが、前記上面板と前記底板のコーナー部分には前記複数のパイルがそれぞれ貫通して配置される貫通孔がそれぞれ形成されることを特徴とする請求項１に記載の構造的安定性を有するコンテナーハウス。
【請求項３】
前記本体は多層に配列され、前記複数のパイルは前記多層に配列された本体の上下方向に貫通して地面に打ち込まれて固定されることを特徴とする請求項１に記載の構造的安定性を有するコンテナーハウス。
【請求項４】
前記複数のパイルの中で少なくとも１つは所定長さだけ上部へ延長されて、その上端部に自家発電用太陽光発電設備の太陽光パネルまたは風力発電装置のブレードが設置されることを特徴とする請求項１〜請求項３の中の何れか一項に記載の構造的安定性を有するコンテナーハウス。
【請求項５】
前記パイルは、その内部が中空状に構成されることを特徴とする請求項１〜請求項３の中の何れか一項に記載の構造的安定性を有するコンテナーハウス。
【請求項６】
前記複数のパイルは、その内部全体が満たされた中実状や、その内部が中空の中空状のパイルで構成されるか、一部分は前記中実状で、残りは前記中空状のパイルで構成されることを特徴とする請求項１〜請求項３の中の何れか一項に記載の構造的安定性を有するコンテナーハウス。
【請求項７】
前記パイルの横方向の断面と前記貫通孔は同じ形状であることを特徴とする請求項２に記載の構造的安定性を有するコンテナーハウス。
【請求項８】
前記パイルの内部空間には、前記本体の外部に設置される通信中継器と前記本体の内部に設置される受信機とを連結する通信ラインがさらに設置されることを特徴とする請求項５に記載の構造的安定性を有するコンテナーハウス。
【発明の詳細な説明】
【技術分野】
【０００１】
本発明は住居空間として用いられるコンテナーハウスに関するもので、さらに詳しくは、コンテナーハウスの本体を地面に堅固に固定するが、本体のコーナー部分を貫通して地面に打ち込まれるパイルを利用して、本体を地面に便利で且つ簡便に固定することができる構造的安定性を有するコンテナーハウスに関する。
【０００２】
また、本発明は本体を地面に固定する際に用いられるパイルの中で少なくとも１つを上部に延長させて、その上端に自家発電用太陽光パネルまたはブレードを設置するのに利用したり、パイルの内部空間を本体の外部に設置されるアンテナなどの通信中継器と本体の内部に設置されるテレビなどの受信機とを連結する通信ラインの設置空間として活用することができる構造的安定性を有するコンテナーハウスに関する。
【背景技術】
【０００３】
コンテナーハウスは、工場で作られた後、所望の所に設置することができる既製品化された一種の仮建物である。このようなコンテナーハウスは従来のサンドイッチパネルを利用して製作する仮建物とは異なって、従来の建築物に比べて速かに設置することができ、使用が終わった所から他の使用先に移動させて使用することができるという長所がある。
【０００４】
コンテナーハウスは工場で完成品に製作された後、トラックを利用して設置しようとする位置に移動されて設置される。これによって、大きさに制限がある。即ち、通常のコンテナーハウスは、幅は約３〜４メートルに制限され、長さは約１０〜１２メートルまでに製作が可能である。
【０００５】
このようなコンテナーハウスは工場で作られて、トラックで設置地点まで運ばれる特徴のため、所定のモデルを予め作って販売することができるという長所がある。従って、急に小規模の建築物が必要な場合や一時的に使う目的の建築物が必要な場合には、このように予め作られたコンテナーハウスを購買または賃貸して所望の所に設置した後用いれば、便利である。このような理由により、コンテナーハウスは漸次にその使用が増加している。
【０００６】
このようなコンテナーハウスを主に用いる建築現場では、事務室と宿所を速かに設置しなければならなく、また、工事が完了された後に他の現場に移動して同じ規模の事務室と宿所をまた建築して使わなければならない。そこで、設置及び解体が容易で、他の場所に移動可能な長所によって、コンテナーハウスを用いている。
【０００７】
しかし、運搬する時、道路を使用することによって、道路の幅とトラックの長さによる大きさの制約があるコンテナーハウスは、多数の人々が使うためには多層に設置して使う一方、階段のような周辺施設物を分離させて製作して設置現場で組立てて使うのが一般的である。
【０００８】
他の使用例としては、観光地で一時的に用いられる臨時宿泊施設及び工事によって工事が終わるまで一時的に居住しなければならない入居者の宿所及び学校の寮としても用いられる。
【０００９】
従って、近来には見掛け及び内部インテリアを一般の住居用建物と類似して高級にさせたコンテナーハウスが製作されており、このようなコンテナーハウスは従来の画一的なコンテナーハウスとは差別化されたデザインによって一般的な宿泊施設として広く使われている。
【００１０】
また、近来には、コンテナーハウスを組立式に構成して運搬費用を節約し、移動が便利に製作された組立式コンテナーハウスが登場した。ところが、大部分の組立式コンテナーハウスは軽量で且つ高強度のプラスチック系列であるＡＢＳ、ＦＲＰ材質などからなって、運搬及び設置は良好であるが、強風には脆弱で、地盤に堅固に固定させることができるようにすることが非常に重要であった。
【００１１】
一方、国内特許登録第０７０４２３７号には組立式コンテナーハウスを地面に固定する技術が公開されている。図１に示したように、この技術は、地面に鉄構造物１１０をアンカーまたはコンクリートで堅固に固定し、このような鉄構造物１１０の上部に組立式コンテナーハウス１００を固定するが、４つのコーナーにマグネチックホルダー１３０が内部に設置された支柱１２０を設置して、マグネチックホルダー１３０の磁力で組立式コンテナーハウス１００を鉄構造物１１０に堅固に固定するように構成した。即ち、この技術は、電源のオン（ｏｎ）、オフ（ｏｆｆ）によってマグネチックホルダー（１３０）に磁力が供給されたり中断されて、地面に安着して固定された鉄構造物１１０に組立式コンテナーハウス１００が堅固に固定されたり分離されるように構成した。
【００１２】
ところが、この技術は組立式コンテナーハウス１００を地面に固定するために鉄構造物１１０を別途に具備しなければならなく、このような鉄構造物１１０をアンカーまたはコンクリートを利用して地面に堅固に固定する複雑な過程を行わなければならない。また、この技術は地面に固定された鉄構造物１１０に組立式コンテナーハウス１００を固定するための高価のマグネチックホルダー１３０を具備しなければならなく、このようなマグネチックホルダー１３０を組立式コンテナーハウス１００に締結固定するための部材を具備しなければならないなどその構成関係が複雑になるという問題点がある。
【発明の概要】
【発明が解決しようとする課題】
【００１３】
従って、本発明は上述したような従来技術の問題点を解決するために案出されたもので、コンテナーハウスの本体を地面に堅固に固定するが、本体のコーナー部分を貫通して地面に打ち込まれるパイルを利用して本体を地面に便利で且つ簡便に固定することができる構造的安定性を有するコンテナーハウスを提供することにその目的がある。
【００１４】
また、本発明は本体を地面に固定する際に用いられるパイルの中で少なくとも何れか１つを上部へ延長させ、その上端に自家発電用太陽光パネルまたはブレードを設置するのに利用される構造的安定性を有するコンテナーハウスを提供することに他の目的がある。
【００１５】
また、本発明はパイルの内部空間を本体の外部に設置されるアンテナなどの通信中継器と本体の内部に設置されるテレビなどの受信機とを連結する通信ラインの設置空間として活用することができる構造的安定性を有するコンテナーハウスを提供することに他の目的がある。
【課題を解決するための手段】
【００１６】
本発明の構造的安定性を有するコンテナーハウスは、内部空間を有し、内部と外部とを連結する通路を有する本体と、本体を地面に堅固に固定するが、本体の上下方向に貫通して、地面に打ち込まれて固定する複数のパイルとを含むことを特徴とする。
【００１７】
本発明の本体は、底板、正面板、一対の側面板、上面板及び背面板を含んで構成される。上面板と底板のコーナー部分には複数のパイルがそれぞれ貫通して配置される貫通孔がそれぞれ形成されることができる。
【００１８】
本発明の本体は多層に配列され、複数のパイルは多層に配列された本体の上下方向に貫通して、地面に打ち込まれて固定されることができる。
【００１９】
本発明は複数のパイルの中で少なくとも１つが所定長さだけ上部へ延長され、その上端部に自家発電用太陽光発電設備の太陽光パネルまたは風力発電装置のブレードが設置されることができる。
【００２０】
本発明のパイルはその内部が中空に構成されることができる。
【００２１】
本発明の複数のパイルはその内部が全体に満たされた中実状やその内部が空く中空状のパイルで構成されるか、一部分は中実状で、その残りは中空状のパイルで構成されることができる。
【００２２】
本発明はパイルの横方向の断面と貫通孔が同一形状であることができる。
【００２３】
本発明のパイルの内部空間には本体の外部に設置される通信中継器と本体の内部に設置される受信機とを連結する通信ラインがさらに設置されることができる。
【発明の効果】
【００２４】
本発明はコンテナーハウスの本体を地面に堅固に固定するが、本体のコーナー部分を貫通して地面に打ち込まれるパイルを利用して、本体を地面に便利で且つ簡便に固定することができるという長所がある。即ち、本発明は地面に堅固に打ち込まれる複数のパイルによって、単層または多層の本体が堅固に地面に固定され、これによって、台風、地震などの自然災害にも安全性を保持することができるので、砂漠、草原などの劣悪な環境でも楽な居住が可能である。
【００２５】
また、本発明は本体を地面に固定する際に用いられるパイルの中で少なくとも何れか１つを上部へ延長させ、その上端に自家発電用太陽光発電設備の太陽光パネル及び／または風力発電装置のブレードを設置するのに利用することができるという長所がある。即ち、本発明は太陽光発電設備の太陽光パネル及び／または風力発電装置のブレードをパイルの上端に設置して利用することができるので、離島または奥地などで自家発電された電力を利用して、楽な居住が可能である。
【００２６】
また、本発明はパイルの内部空間を本体の外部に設置されるアンテナなどの通信中継器と本体の内部に設置されるテレビなどの受信機とを連結する通信ラインの設置空間として活用することができるという長所がある。即ち、本発明は本体の内部空間に位置するパイルの内部空間を通信ラインの設置空間として活用することができるので、離島または奥地などでも円滑な電波受信が可能で、文化生活をするなど楽な居住が可能である。
【図面の簡単な説明】
【００２７】
【図１】従来技術による組立式コンテナーハウスの構成関係を示した分解斜視図である。
【図２】本発明の第１実施例による構造的安定性を有する単層のコンテナーハウスの構成関係を示した分解斜視図である。
【図３】図２に示したコンテナーハウスの本体の構成関係を示した斜視図及び一部拡大図である。
【図４】図２に示したコンテナーハウスが地面に設置された状態の設置斜視図である。
【図５】図４に示したコンテナーハウスを線Ａ−Ａに沿って切り取った断面図である。
【図６】本発明の第２実施例による構造的安定性を有する多層のコンテナーハウスの構成関係を示した斜視図である。
【図７】図６に示したコンテナーハウスを線Ｂ−Ｂに沿って切り取った断面図である。
【図８】本発明の第３実施例による構造的安定性を有する多層のコンテナーハウスの構成関係を示した斜視図である。
【図９】図８に示したコンテナーハウスを線Ｃ−Ｃに沿って切り取った断面図である。
【図１０】本発明の第４実施例による太陽光発電設備の太陽光パネルが設置された構造的安定性を有するコンテナーハウスの構成関係を示した断面図である。
【図１１】本発明の第５実施例による風力発電装置のブレードが設置された構造的安定性を有するコンテナーハウスの構成関係を示した断面図である。
【図１２】本発明の第６実施例による太陽光発電設備の太陽光パネルと風力発電装置のブレードが設置された構造的安定性を有するコンテナーハウスの構成関係を示した断面図である。
【図１３】本発明の第７実施例によるアンテナと連結される通信ラインが設置された構造的安定性を有するコンテナーハウスの構成関係を示した断面図である。
【発明を実施するための形態】
【００２８】
以下で、本発明による構造的安定性を有するコンテナーハウスの良好な実施例を添付した図面を通じて詳しく説明する。
【００２９】
図２は本発明の第１実施例による構造的安定性を有する単層のコンテナーハウスの構成関係を示した分解斜視図であり、図３は図２に示したコンテナーハウスの本体の構成関係を示した斜視図及び一部拡大図であり、図４は図２に示したコンテナーハウスが地面に設置された状態の設置斜視図であり、図５は図４に示したコンテナーハウスを線Ａ−Ａに沿って切り取った断面図である。
【００３０】
図２〜図５に示したように、この実施例による構造的安定性を有するコンテナーハウス２００は、既存のコンテナーハウスのように直方体の形状に製作される本体２１０と、本体２１０を地面に堅固に固定させ、本体２１０のコーナー部分を貫通して地面に打ち込まれて固定される複数のパイル２２０とで構成される。
【００３１】
ここで、本体２１０は、底板２１１、正面板２１２、一対の側面板２１３、上面板２１４及び背面板２１５を含んで構成され、その内部には居住または業務をすることができる各種施設が設置される空間が設けられる。一方、正面板２１２にはドア及び窓が設置され、側面板２１３には窓が設置されることができる。
【００３２】
一方、底板２１１と上面板２１４の中で、コーナー部分にはそれぞれのパイル２２０が貫通することができる貫通孔２１１ａ、２１４ａがそれぞれ形成される。この時、貫通孔２１１ａ、２１４ａはパイル２２０が垂直状態で上面板２１４と底板２１１を貫通するように互いに対応する位置にそれぞれ形成される。ここで、貫通孔２１１ａ、２１４ａは本体２１０の枠に沿って設置されたフレームに形成され、フレームの中でコーナー部分に形成される。即ち、貫通孔２１１ａ、２１４ａはコンテナーハウスをトラックで運ぶ際に、動かないようにトラックに嵌められる嵌込溝の周りに形成されることが好ましい。
【００３３】
また、貫通孔２１１ａ、２１４ａはパイル２２０と同じ形態に形成され、パイル２２０の外側サイズと同一またはやや大きく形成されて、パイル２２０が貫通孔２１１ａ、２１４ａ内で動かないように構成することが好ましい。一方、貫通孔２１１ａ、２１４ａの周りには貫通孔２１１ａ、２１４ａが形成されることによって、強度を補強するための補強部材などをさらに設置して構成することもできる。
【００３４】
パイル２２０は、本体２１０を構成する上面板２１４と底板２１１との貫通孔２１４ａ、２１１ａを貫通して地面に打ち込まれて固定されることによって、本体２１０を地面に堅固に固定する役割をする。従って、パイル２２０は本体２１０の高さに地面に打ち込まれる長さを合わせた長さを有するように構成される。即ち、パイル２２０の下端は所定長さだけ地面に堅固に打ち込まれて固定され、上端は上面板２１４の外側表面と同一高さまたはやや上方へ突出される高さを有する。ここで、パイル２２０の下端が地面に打ち込まれる深さは本体２１０を堅固に支持することができる程度であれば良い。
【００３５】
また、パイル２２０は上面板２１４と底板２１１との貫通孔２１４ａ、２１１ａと同じ形態に形成され、貫通孔２１１ａ、２１４ａのサイズと同じであるかやや小さく形成されて、パイル２２０が貫通孔２１１ａ、２１４ａ内で動かないように構成されることが好ましい。
【００３６】
また、パイル２２０はその内部が中空またはその内部が満たされた中実状に構成されることができる。ここで、中実状は棒やバーのようにそれ自体の素材で中実状構造を有したり、或いは中空状のパイルの内部にコンクリートなどのような別途の素材を満たして中実状の構造を有するように構成されることができる。例えば、中空状パイルの内部にコンクリートを満たして構成（ＣＦＴ；ＣＯＮＣＲＥＴＥ  ＦＩＬＬＥＤ  ＴＵＢＥ）されたり、中空状のパイルの内部に鉄筋などのような補強材を満たして構成されたり、中空状のパイルの内部に上記のような補強材を満たした後、さらにコンクリートを満たして構成するなど多様な方式で構成されることができる。
【００３７】
上記のように、この実施例のパイル２２０を構成する際に、中空状の場合には、その内部空間を活用するのに利用することができるという長所があり、中実状の場合には、本体２１０をより堅固に固定することができるという長所がある。従って、この実施例のコンテナーハウス２００は全体を中実状または中空状のパイル２２０で構成し、或いは一部分は中実状に、残りは中空状のパイル２２０で構成しても構わない。一方、パイル２２０はその横方向の断面が円形である円形パイプやその横方向の断面が四角形である四角パイプで構成されることができる。また、パイル２２０の下端は地面により円滑に打ち込まれることができるように開放された形態を有したり、下部の所定部分が下端を向けてそのサイズが漸次に小さくなるようにテーパー状に形成されることが好ましい。
【００３８】
上記のように、この実施例のパイル２２０は本体２１０を地面に堅固に固定する役割を果たすもので、１ヶ所の貫通孔２１１ａ、２１４ａに鉄筋のような複数のパイルを挿入して地面に打ち込んで固定しても構わない。即ち、この実施例のパイル２２０は１ヶ所の貫通孔２１１ａ、２１４ａに挿入されて地面に打ち込まれる１つ以上に構成される広い意味に解釈すべきである。
【００３９】
上記のように、パイル２２０が上面板２１４と底板２１１との貫通孔２１４ａ、２１１ａを貫通することによって、パイル２２０は本体２１０の内部空間のコーナー部分にそれぞれ位置する。それによって、中空状のパイル２２０の場合には、パイル２２０の内部空間を通信ラインなどのように、内外部を連結するための通路として活用することができる。また、パイル２２０は本体２１０との堅固な結合のために、上面板２１４と底板２１１の貫通孔２１４ａ、２１１ａの周りで溶接して一体化されることもできる。
【００４０】
上記実施例では、パイル２２０が本体２１０の内部を貫通して地面に固定されるように構成されたが、本体２１０の上端及び下端近くのコーナー部位にパイル２２０が貫通して地面に固定されることができる固定部材をそれぞれ設置することによって、パイル２２０が本体２１０の外側に位置した状態で地面に固定されるように構成されることもできる。即ち、この実施例のコンテナーハウス２００は本体２１０のコーナー部分を貫通して地面に打ち込まれるパイル２２０を利用して、本体２１０を地面に便利で且つ簡便に固定することができるという長所がある。
【００４１】
図６は本発明の第２実施例による構造的安定性を有する多層のコンテナーハウスの構成関係を示した斜視図であり、図７は図６に示したコンテナーハウスを線Ｂ−Ｂに沿って切り取った断面図である。
【００４２】
図６及び図７に示したように、この実施例の構造的安定性を有する多層のコンテナーハウス３００は、図２〜図５に示したように構成された本体２１０を多層に配列し、このように配列された本体２１０を第１実施例と同じ概念のパイル３２０を利用して地面に堅固に固定するように構成したものである。ここで、パイル３２０は多層の高さに地面に打ち込まれるほどの長さを合わせた長さで構成されるが、パイル２２０の下端が地面に打ち込まれて本体２１０を堅固に支持することができるほどの長さで構成すれば良い。
【００４３】
図８は本発明の第３実施例による構造的安定性を有する多層のコンテナーハウスの構成関係を示した斜視図であり、図９は図８に示したコンテナーハウスを線Ｃ−Ｃに沿って切り取った断面図である。
【００４４】
図８及び図９に示したように、この実施例の構造的安定性を有する多層のコンテナーハウスは、第２実施例のコンテナーハウス３００と同じ概念で構成されるが、一部の層は地下に位置させて、残り層は地上に位置させて用いることができる。
【００４５】
即ち、この実施例のコンテナーハウスは、図６及び図７のように、地上に位置させて用いることもでき、図８及び図９のように、必要によって一部の層は地下に位置させ、残り層は地上に位置させて用いることもできる。
【００４６】
図１０〜図１２は本発明の第４実施例〜第６実施例による太陽光発電設備の太陽光パネル及び／または風力発電装置のブレードが設置された構造的安定性を有するコンテナーハウスの構成関係を示した断面図である。
【００４７】
図１０〜図１２に示したように、この実施例の構造的安定性を有するコンテナーハウス４００、５００、６００は、第１実施例のコンテナーハウス２００を構成するパイル２２０の中で少なくとも１つのパイル４２０、５２０、６２０を所定長さだけ上部へ延長させ、その上端に自家発電用太陽光発電設備の太陽光パネル４３０及び／または風力発電装置のブレード５３０を設置して構成されたものである。一方、この実施例の構造的安定性を有するコンテナーハウスは、第２、第３実施例のコンテナーハウス３００を構成するパイル３２０の中で少なくとも１つのパイルを所定長さだけ上部へ延長させ、その上端に自家発電用太陽光発電設備の太陽光パネル及び／または風力発電装置のブレードを設置して構成することもできる。
【００４８】
図１３は本発明の第７実施例によるアンテナと連結される通信ラインが設置された構造的安定性を有するコンテナーハウスの構成関係を示した断面図である。
【００４９】
図１３に示したように、この実施例の構造的安定性を有するコンテナーハウス７００は、第１実施例のコンテナーハウス２００と同一に構成されるが、本体２１０の内部空間に位置するパイル７２０の内部空間を本体２１０の外部に設置されるアンテナ７３０などの通信中継器と本体２１０の内部に設置されるテレビ（図示ない）などの受信機とを連結する通信ライン７４０の設置空間として活用するように構成されたものである。一方、この実施例の構造的安定性を有するコンテナーハウスは、第２、第３実施例のコンテナーハウス３００と同一に構成されるが、本体の内部空間に位置するパイルの内部空間を本体の外部に設置されるアンテナなどの通信中継器と本体の内部に設置されるテレビ（図示ない）などの受信機とを連結する通信ラインの設置空間として活用するように構成することもできる。
【産業上の利用可能性】
【００５０】
上記実施例で例示された本発明の構造的安定性を有するコンテナーハウスは、地面に堅固に打ち込まれる複数のパイルによって、単層または多層の本体が堅固に地面に固定され、それによって、台風、地震などの自然災害にも安全性を保持することができるので、砂漠、草原などの劣悪な環境でも楽な居住が可能である。
【００５１】
また、本発明の構造的安定性を有するコンテナーハウスは太陽光発電設備の太陽光パネル及び／または風力発電装置のブレードをパイルの上端に設置して利用することができるので、離島または奥地などで自家発電された電力を利用して、楽な居住が可能である。
【００５２】
また、本発明の構造的安定性を有するコンテナーハウスは、本体の内部空間に位置するパイルの内部空間を本体の外部に設置されるアンテナなどの通信中継器と本体の内部に設置されるテレビ（図示ない）などの受信機とを連結する通信ラインの設置空間として活用することができるので、離島または奥地などでも円滑な電波受信が可能で、文化生活をするなど楽な居住が可能である。
【００５３】
以上で、本発明の構造的安定性を有するコンテナーハウスに対する技術事項を添付図面を通じて説明したが、これは本発明の最も良好な実施例を例示的に説明したものである。従って、本発明は上記に記載された実施例に限定されるのではなく、本発明の思想及び範囲を逸脱しないで、多様に修正及び変形することができることは当該技術分野において通常の知識を有する者に自明であり、このような変形例または修正例も本発明の特許の請求範囲に属すべきである。
【図１】
2015501892.tif 000003
【図２】
2015501892.tif 000004
【図３】
2015501892.tif 000005
【図４】
2015501892.tif 000006
【図５】
2015501892.tif 000007
【図６】
2015501892.tif 000008
【図７】
2015501892.tif 000009
【図８】
2015501892.tif 000010
【図９】
2015501892.tif 000011
【図１０】
2015501892.tif 000012
【図１１】
2015501892.tif 000013
【図１２】
2015501892.tif 000014
【図１３】
2015501892.tif 000015
【国際調査報告】
2015501892.tif 000016
2015501892.tif 000017
2015501892.tif 000018
2015501892.tif 000019